(57)【要約】【課題】取り扱う貨幣の装填量を維持しつつ、取り扱う金種を増やすことができる貨幣処理装置を提供する。【解決手段】金種別に設定された複数のカセットから貨幣を繰り出し、または収納する貨幣処理装置であって、利用者から入金された貨幣を受け入れる貨幣入出部と、貨幣入出部から受け入れられた貨幣を鑑別する鑑別部と、カセットには、鑑別された貨幣のうちの不良貨幣を回収する回収カセットを含み、回収カセットを、鑑別された貨幣の収納先として設定し、貨幣を収納させる制御部と、を備えた。【選択図】図３
2011107763.tif 000002
【特許請求の範囲】
【請求項１】
金種別に設定された複数のカセットから貨幣を繰り出し、または収納する貨幣処理装置であって、
利用者から入金された貨幣を受け入れる貨幣入出部と、
前記貨幣入出部から受け入れられた前記貨幣を鑑別する鑑別部と、
前記カセットには、鑑別された前記貨幣のうちの不良貨幣を回収する回収カセットを含み、
前記回収カセットを、鑑別された前記貨幣の収納先として設定し、前記貨幣を収納させる制御部と、
を備えたことを特徴とする貨幣処理装置。
【請求項２】
前記貨幣処理装置は、
前記カセットに収納された貨幣の残量を検知する検知部と、
前記検知部が検知した前記貨幣の残量を示す貨幣運用データを記憶する記憶部と、をさらに備え、
前記制御部は、前記記憶部が記憶する前記貨幣運用データに基づいて、前記カセットに収納されている前記貨幣が空になったか否かを判定し、前記カセットに収納されている前記貨幣が空になったと判定した場合に、前記回収カセットから、空になった前記カセットに入金貨幣の収納先を切替える、
ことを特徴とする請求項１に記載の貨幣処理装置。
【請求項３】
前記検知部は、さらに前記回収カセットに収納された貨幣の残量を検知し、
前記制御部は、前記記憶部が記憶する前記貨幣運用データに基づいて、前記回収カセットに収納されている前記貨幣が満杯状態になったか否かを判定し、前記回収カセットに収納されている前記貨幣が満杯状態になったと判定した場合に、前記カセットに収納された前記貨幣が空であるか否かにかかわらず、前記入金貨幣の収納先を、いずれかの前記カセットに切り替える、
ことを特徴とする請求項２に記載の貨幣処理装置。
【請求項４】
前記制御部は、前記記憶部が記憶する前記貨幣運用データに基づいて、前記カセットのうちいずれかのカセットに前記貨幣を集約可能であるか否かを判定し、前記カセットのうちいずれかのカセットに前記貨幣を集約可能であると判定した場合に、いずれかの前記カセットに前記入金貨幣を移動させる、
ことを特徴とする請求項２または３に記載の貨幣処理装置。
【請求項５】
前記制御部は、前記入金貨幣の収納先の切り替えまたは前記入金貨幣の移動を、前記貨幣の残量の少ないカセットから前記貨幣の残量の多いカセットに対して行う、
ことを特徴とする請求項３または４に記載の貨幣処理装置。
【発明の詳細な説明】
【技術分野】
【０００１】
本発明は、例えば、金融機関等に設置される自動預金支払機（以下、ＡＴＭ：Automated-Teller  Machineと呼ぶ。）や自動両替機等の自動取引機に内蔵されるような貨幣処理装置に関する。特に、省スペース化によりカセット数が制限され、取扱う金種が絞られている貨幣処理装置に関する。
【背景技術】
【０００２】
従来、貨幣処理装置において省スペースを実現するために貨幣を収納するカセットの数を制限した場合、カセットに収納できる貨幣の数に限りがあるため、貨幣の取引量を勘案して取扱う金種を絞る必要があった。
【０００３】
これに対し、特許文献１に記載の紙幣処理装置では、異なる金種を１つのカセット内の前側と後側に別々に収納でき、カセットの前面と背面から、異なる金種の入出金を可能とする入出金カセットを具備することで、装置サイズを変更することなく、取扱い金種の増加や資金効率の向上を可能としている。
【０００４】
その他、貨幣処理装置における従来技術として、取引量の少ない金種の空きスペースを有効活用することで、カセット数を増やすことなく貨幣の装填量を増やし、資金効率を向上する方法が考えられている。具体的には、取引量の少ない金種を少量装填することで生じるカセット内の空きスペースに、他の金種の貨幣を予備貨幣として装填した共用カセットを備える方法が考えられる。このような共用カセットを備えることによって、別のカセットの貨幣が収納切れや残少状態になった場合に、共用カセット内の取引量の少ない金種の貨幣をその別のカセットに移動させることにより、共用カセットに装填しておいた予備貨幣の繰り出しが可能となり、１カセットで複数金種の取扱いが可能となる。
【先行技術文献】
【特許文献】
【０００５】
【特許文献１】特開２００４−３１０６５３号公報
【発明の概要】
【発明が解決しようとする課題】
【０００６】
ところで、上述した貨幣処理装置において、入金貨幣と出金貨幣が混在しないように取扱う（入金貨幣をリサイクルしない）運用の場合、通常は入金用に最低１カセット必要となる。さらに、設置エリアにおけるスペース上の都合等により、貨幣処理装置に装着可能なカセット数に制限がある場合、各金種の取引量を勘案して取扱う金種を絞る必要がある。
【０００７】
例えば、４金種の紙幣に対して、出金用に各々４カセットが装着されている場合であっても、ある１金種の取引量が多く、出金用カセットを増設できない場合は取扱い金種を絞ることである１金種の装填量を増やす必要がある。
【０００８】
このような場合において、上記従来技術によれば、取扱い金種自体を増やすことは可能だが、取扱っていた金種の元々の装填量は減ってしまうという問題があった。すなわち、元々取扱っている金種の装填量を減らすことなく取扱う金種を増やすことができないという問題があった。
【０００９】
例えば、特許文献１の技術では、各カセット前部に出金貨幣を、後部に入金貨幣を収納することにより、元々取扱っていた金種のカセット数を減らすことなく、また新たにカセットを増やすことなく取扱い金種を増やすことができる。しかしながら、カセット内部及び装置自体の構造が複雑になる結果、カセット自体の装填量が減り、元々の装填量を保ったまま取扱い金種を増やすことができないという問題があった。
【００１０】
また、従来技術による方法では、同一金種が２カセット以上ある場合、金種を増やすこと自体は可能だが、上述のとおり、元々取扱っている金種の装填量を減らすことによって取扱う金種を増やすことになるため、問題の解決にはならない。
【００１１】
本発明は、上記に鑑みてなされたものであって、取り扱う貨幣の装填量を維持しつつ、取り扱う金種を増やすことができる貨幣処理装置を提供することを目的とする。
【課題を解決するための手段】
【００１２】
上述した目的を達成するために、本発明にかかる貨幣処理装置は、金種別に設定された複数のカセットから貨幣を繰り出し、または収納する貨幣処理装置であって、利用者から入金された貨幣を受け入れる貨幣入出部と、前記貨幣入出部から受け入れられた前記貨幣を鑑別する鑑別部と、前記カセットには、鑑別された前記貨幣のうちの不良貨幣を回収する回収カセットを含み、前記回収カセットを、鑑別された前記貨幣の収納先として設定し、前記貨幣を収納させる制御部と、を備えたことを特徴とする。
【発明の効果】
【００１３】
本発明によれば、取り扱う貨幣の装填量を維持しつつ、取り扱う金種を増やすことができる。
【図面の簡単な説明】
【００１４】
【図１】本実施形態にかかる自動両替装置の外観を示した図である。
【図２】自動両替装置の装置後扉を開けた状態を示す外観図である。
【図３】自動両替装置を制御するための構成を示すブロック図である。
【図４】集積繰出し部を含む自動両替装置の各部を概念化した場合の例を示す図である。
【図５】紙幣処理装置の一般的な紙幣装填状態を示した説明図である。
【図６】係員パネル部が表示する、金種別カセットに装填する装填金種・枚数の設定画面の一例を示した表示図である。
【図７】係員パネル部が表示する、金種別カセットに装填する装填金種・枚数の設定画面の一例を示した表示図である。
【図８】主制御部が、指令信号を送信して紙幣を移動させる場合の様子を示す図である。
【図９】自動両替装置で行われる処理の処理手順を示すフローチャートである。
【発明を実施するための形態】
【００１５】
以下に添付図面を参照して、この発明にかかる硬貨処理装置の実施の形態を詳細に説明する。以下では、硬貨処理装置を自動両替装置に適用した例について説明しているが、これに限られるものではない。
【００１６】
図１は、本実施形態にかかる自動両替装置１の外観を示した図である。自動両替装置１は、金融機関等に設置され、利用者の操作によって、貨幣の両替を行うものである。
【００１７】
自動両替装置１に備えられているタッチパネル２は、操作部と表示部とを兼ねている。利用者は、このタッチパネル２にタッチ入力することによって、両替する金種を指定する。紙幣入出金口３は、両替対象となる紙幣の投入を受け入れるとともに、両替された後の紙幣を放出する。
【００１８】
硬貨取出口４は、両替された後の硬貨を放出する。包装硬貨取出口５は、両替された後の包装硬貨を放出する。カード挿入口６は、利用者が自動両替機１との間で取引を行うためのカードが挿入を受け入れるとともに、利用者にそのカードを排出する。
【００１９】
明細票取出口７は、両替取引した内容が印字された明細票を放出する。取扱状態表示部８は、自動両替装置１が取扱中か、取扱中止状態であるかなど、自動両替装置１の取扱状態を表示する。なお、上述した紙幣入出金口３、硬貨取出口４、包装硬貨取出口５にはシャッタが備えられ、後述する主制御部１７からの指示に応じて開閉可能となっている。
【００２０】
図２は自動両替装置１の装置後扉１８を開けた状態を示す外観図である。紙幣処理装置１１は紙幣の取込み、識別、搬送、繰出し等を行なうものである。包装硬貨処理装置１２は包装硬貨の識別、搬送、放出等を行ない、硬貨処理装置１３は硬貨の識別、搬送、放出等を行う。係員パネル部１４は操作部と表示部とを兼ねており、例えば、紙幣や硬貨を補充または回収する場合等に、金融機関等の係員によって操作される。
【００２１】
自動両替装置１の運用を開始する際、まず係員が装置後扉１８を開けて、両替用の紙幣、包装硬貨、硬貨をそれぞれ紙幣処理装置１１、包装硬貨処理装置１２、硬貨処理装置１３に装填する。さらに、係員が係員パネル部１４を操作して取扱中にすることにより、取扱状態表示部８及びタッチパネル２が取扱中止の表示から取扱中の表示に変わるようになっている。
【００２２】
自動両替装置１が取引可能になった後、利用客がカード挿入口６にカードを挿入するか、タッチパネル２の取引開始を示す表示キーを指定してタッチ入力することにより取引が開始される。例えば、紙幣入出金口３が開き、その開口部に利用客が両替対象となる元金である紙幣を挿入すると、紙幣処理装置１１は両替元金を取込み、識別し、識別した紙幣を計数する。
【００２３】
そして、挿入された元金の金額に応じてタッチパネル２に両替可能な金種と数量が表示され、利用客はタッチパネル２に所望の両替金種及び数量を指定して入力する。指定された両替金種及び数量に従い、紙幣処理装置１１、包装硬貨処理装置１２、硬貨処理装置１３が両替金を繰出し、識別し、識別した紙幣の搬送を行う。その後、紙幣入出金口３、硬貨取出口４、包装硬貨取出口５から両替金が放出され、明細票取出口７より、両替取引した内容が印字された明細票が放出される。以上のようにして両替取引が実行される。
【００２４】
図３は自動両替装置１を制御するための構成を示すブロック図である。自動両替装置１は、利用客からの入力操作を受付ける案内画面を表示するタッチパネル２と、利用客のカードを受付けるカード処理部１５と、紙幣の入出金を行う紙幣処理装置１１と、包装硬貨の出金を行う包装硬貨処理装置１２と、硬貨の出金を行う硬貨処理装置１３と、両替取引等の明細票を発行する帳票処理部１６と、係員入力用の案内画面を表示する係員パネル部１４と、これらの各部を制御し、取引や係員処理などを実行する制御手段としての主制御部１７と、を含んで構成されている。
【００２５】
主制御部１７は、ＣＰＵ１７ａ，ＲＯＭ１７ｂ，ＲＡＭ１７ｃを含んで構成されている。ＣＰＵ１７ａは、ＲＯＭ１７ｂに格納されたプログラムに従って各回路装置を制御し、その制御データを読出し可能にＲＡＭ１７ｃに記憶する。
【００２６】
具体的には、ＣＰＵ１７ａが、タッチパネル２や係員パネル部１４への案内表示や入力受付の指令、カード処理部１５でのカードの受付け、読込み、返却等の指令、紙幣処理装置１１への入金、出金等の指令、包装硬貨処理装置１２や硬貨処理装置１３への出金等の指令、帳票処理部１６への明細票の印刷等の指令など、各部へ指令を行う。そして、ＣＰＵ１７ａは、その指令した処理結果を確認した後、その内容を判断して、利用客が取引した両替取引や係員が入力した係員操作に伴う処理等を実行する。また、ＣＰＵ１７ａは、その実行結果の各種処理データをＲＡＭ１７ｃが読出し可能に記憶する。
【００２７】
また、紙幣処理装置１１は、自動両替装置１の主制御部１７から指令を受付け、その指令に従って紙幣処理動作を実行する。この紙幣処理装置１１は、紙幣処理動作の実行結果を返送する制御部（ＣＰＵ）２１と、紙幣処理装置１１を動作させる制御プログラムが格納されたＲＯＭ２２と、各種データを読出し及び書込み可能に記憶するＲＡＭ２３と、紙幣搬送群２４と、及び紙幣収納群２５と、を含んで構成されている。
【００２８】
紙幣搬送群２４は、紙幣入出金口３と、貨幣識別手段としての識別部２６と、紙幣を一時的に保留する一時保留部２７と、返却すべき紙幣を保留する返却保留部２８と、を含んで構成される。
【００２９】
また、紙幣収納群２５は、両替紙幣を装填しているか、または入金紙幣を収納する３個の金種別カセットＣ１、Ｃ２、Ｃ３と、識別部２６によって正常に識別できなかった識別不良紙幣及び入金紙幣を収納する回収カセットＣ４とを含み、これらの各カセットが、自動両替装置１の前面（または背面）に向かって順に立設状態に並列配設して構成されている。
【００３０】
金種別カセットＣ１〜Ｃ３は、紙幣搬送群２４の搬送経路と接続される各カセットの上部に、紙幣を１枚ずつ集積あるいは繰出し処理する集積繰出し部２４Ａ（後述）を備えている。なお、以下では、金種別カセットとしてＣ１〜Ｃ３の３つのカセットが備えられていることを前提に説明しているが、その個数に限定されるものではない。
【００３１】
図４は、上述した集積繰出し部２４Ａを含む自動両替装置１の各部を概念化した場合の例を示す図である。図４に示すように、集積繰出し部２４Ａは、金種別カセットＣ１〜Ｃ３の各カセットから紙幣を１枚ずつ紙幣搬送群２４に繰出し可能に接続される繰出し経路２４ａと、紙幣搬送群２４から金種別カセットＣ１〜Ｃ３に紙幣を１枚ずつ集積可能に接続される集積経路２４ｂと、を含んで構成される。
【００３２】
さらに、繰出し経路２４ａと集積経路２４ｂとはカセットの上部で両経路２４ａ，２４ｂが交差した例を示しているが、紙幣の出入りに際しては、制御部２１が紙幣の出入りに支障が生じないように搬送処理順や搬送タイミングを設定している。また、集積繰出し部２４Ａは両経路２４ａ，２４ｂの交差を回避した配置構成にしてもよい。
【００３３】
金種別カセットに対しては集積または繰出しが可能なように紙幣搬送群２４と接続しているのに対し、回収カセットＣ４へは集積機能のみを備えて紙幣搬送群２４に接続している。
【００３４】
上述の両替取引に際して、紙幣、包装硬貨、硬貨のうち、以下では紙幣の両替取引を例にとって説明する。図４に示した例では、紙幣処理装置１１の内部構成図を示し、この紙幣処理装置１１は、上部に紙幣を搬送処理する紙幣搬送群２４を設け、下部に紙幣を収納する紙幣収納群２５を設けて、上下部を搬送系と収納系とに分離して内部構造の簡素化を図っている。
【００３５】
紙幣搬送群２４の経路は、紙幣入出金口３の後段に識別部２６が接続され、この識別部２６の後段（背面側）は、上向きと下向きとに分岐接続し、上向き側はさらに一時保留部２７側と返却保留部２８側とに分岐接続されている。また、識別部２６の背面側で下向きに分岐接続したその先では、さらに、回収カセットＣ４側と、金種別カセットＣ１側とに分岐接続している。そして、識別部２６の後段（背面側）から一時保留部２７および返却保留部２８を経て識別部２６の前段にループ状に接続する上側搬送路Ｌ１を構成している。
【００３６】
また、金種別カセットＣ１からＣ２、Ｃ３の順に各カセットの上側に沿って金種別カセットＣ１〜Ｃ３間を略水平方向に搬送接続するとともに、金種別カセットＣ３の前段（前面側）から識別部２６を経由して元の金種別カセットＣ１へとループ状に接続する下側搬送路Ｌ２を構成している。
【００３７】
また、金種別カセットＣ１〜Ｃ３に対する紙幣の搬送に際して、金種別カセットＣ１〜Ｃ３から紙幣を繰出したとき、または金種別カセットＣ１〜Ｃ３に紙幣を集積するとき、これらの搬送動作はループ状の上側搬送路Ｌ１及び下側搬送路Ｌ２を経由させるが、何れの搬送処理であっても、同一のカセットでは集積または繰出しの一処理のみを実行して、上述した集積繰出し部２４Ａとともに安定した紙幣処理動作が得られるように制御部２１が制御している。
【００３８】
なお、金種別カセットＣ１〜Ｃ３の内部には、上下動して紙幣を上下させる紙幣上下板３０を備えている。そして、紙幣繰出し時には、制御部２１が紙幣上下板３０を上動させて、カセットに収納されている紙幣を押し上げ、上方の紙幣搬送群２４に対して繰出し可能とし、紙幣収納時には、制御部２１が紙幣上下板３０を下動させて、紙幣上下板３０の上方に紙幣を集積する受入れスペースを確保して紙幣を集積可能としている。
【００３９】
以下、紙幣への両替取引を実行する場合について順を追って説明する。
【００４０】
両替取引が開始され、利用客が両替元金を紙幣入出金口３に投入すると、主制御部１７は紙幣処理装置１１に対して入金指令を送信する。紙幣処理装置１１は、紙幣入出金口３に挿入された紙幣を取込み、上側搬送路Ｌ１で搬送して識別部２６に導き、真偽、金種、枚数を識別した後、一時保留部２７に導いて一時保留する。このとき、識別部２６で紙幣を識別不良と判定したときは、その識別不良紙幣を返却保留部２８に導いて一時保留した後、元の紙幣入出金口３へと返却する。
【００４１】
そして、入金指令に対応する紙幣処理動作が完了すると、紙幣処理装置１１は主制御部１７からの指令に対応して処理結果を返送する。主制御部１７は入金指令の処理結果に基づいて、利用客に返却すべき紙幣があれば、紙幣入出金口３を開口して利用客に紙幣を返却し、返却紙幣がなければ、利用客がタッチパネル２を介して指定した両替内容を受付ける。
【００４２】
両替内容を受付けた主制御部１７は紙幣処理装置１１に対し、両替金の出金指令を送信する。紙幣処理装置１１は主制御部１７からの出金指令により、利用客が指定した金種、枚数に従って、金種別の紙幣を装填している金種別カセットＣ１〜Ｃ３から紙幣を１枚ずつ繰出し、識別部２６で紙幣の真偽等を識別してから紙幣入出金口３へと放出する。このとき、識別部２６によって識別不良と判定された紙幣は、回収カセットＣ４に導いて収納する。
【００４３】
出金指令に対応した紙幣処理動作が完了すると、紙幣処理装置１１は、主制御部１７からの指令に応じた処理結果を返送する。主制御部１７は出金指令の処理結果に基づいて、利用客に渡すべき紙幣の金種、枚数が正常に放出することができた場合は、紙幣入出金口３を開口して利用客に両替金を取り出させる。
【００４４】
なお、入金指令によって一時保留部２７に保留された入金紙幣は、運用上の最適な収納タイミングを選んで、主制御部１７が紙幣処理装置１１に対して収納指令を送信することにより、下部側の紙幣収納群２５に収納処理される。ここで、利用客が挿入した両替元金である入金紙幣は、本発明を用いない場合は金種別カセットＣ１〜Ｃ３の内、入金用カセットとして設定された何れかのカセットに収納されることになる。
【００４５】
図５は、紙幣処理装置１１の一般的な紙幣装填状態を示した説明図である。金種別カセットＣ１を入金用カセットとして、残りの金種別カセットＣ２、Ｃ３を出金用としてあらかじめ設定され、その設定に従って紙幣を入出金するものである。
【００４６】
図５に示した紙幣処理装置１１は、出金用カセットを２つ備えているため、例えば、千円、二千円、五千円、万円の４金種の紙幣を取扱う場合、この中から取り扱う金種を絞る必要がある。取引頻度の観点からみると、特に両替金として必要なのは取引量の最も多い千円と、次に取引量の多い五千円である。そもそも両替は小売店等でレジの釣銭を準備するために行うので、万円の両替は必要ではない。また、二千円は流通量が極端に少ないため、必要性が少ない。さらに釣銭として基本的に千円が準備できていれば二千円や五千円の代替ができることや、現金回収装填といった運用コストを踏まえ、出金用の金種別カセットＣ２、Ｃ３へは最も取引量の多い千円が装填されている。
【００４７】
図６及び図７は係員パネル部１４が表示する、金種別カセットＣ１〜Ｃ３に装填する装填金種・枚数の設定画面の一例を示した表示図である。以下の説明では、入金紙幣の収納先として回収カセットＣ４を指定した場合において、金種別カセットＣ１〜Ｃ３に対して装填金種・枚数の設定を可能としている。このように、金種別カセットＣ１〜Ｃ３に対して装填金種・枚数を設定することによって、金種別カセットから繰り出した紙幣の枚数をカウントし、金種別カセットの残量検知が可能となる。
【００４８】
図６では、金種別カセットＣ１およびＣ２に千円を設定し、装填枚数としてそれぞれ１，０００枚ずつ設定している。そして、金種別カセットＣ３に装填する紙幣の金種を、上述した４つの金種のいずれにするかについて、係員等が設定する途中の状態を示している。
【００４９】
さらに、図７では、金種別カセットＣ３に装填する紙幣の金種を五千円に設定した後、その五千円の装填枚数を設定する途中の状態を示している。これらの装填金種・枚数の設定を行うことにより、主制御部１７は、その設定されたカセット別の紙幣運用データをＲＡＭ１７ｃにて記憶する。
【００５０】
このＲＡＭ１７ｃは主制御部１７の記憶手段として備えられ、入金紙幣の収納先カセットやカセット別の紙幣の金種、収納量を記憶し、また初期設定枚数から両替取引した取引後の現在の残量データを記憶する。この残量データは、搬送路上等に備えられた図示しない検知センサ、識別部２６での識別データ及び紙幣運用データから求められる。そして、その残量データから、主制御部１７(ＣＰＵ１７ａ)が、残量の有効性の適否や運用限界等を判定する。
【００５１】
主制御部１７は、金種別カセット内の紙幣が空の状態であるか、または回収カセット内の紙幣が満杯の状態であるかを判定し、入金紙幣の収納先を回収カセットから金種別カセットへ切替えるべき状態であるか否かを、搬送路上等に備えられた図示しない検知センサ及び紙幣運用データによって判定する判定機能を有している。なお、単に、金種別カセットが満杯となったか否かだけではなく、例えば、あらかじめ、ＲＡＭ１７ｃに金種別カセットに収納可能な紙幣の枚数等の閾値（例えば、１０００枚等の枚数、あるいは満杯時の数量に対する割合である８０％等の値）を設定しておき、その閾値を超えた場合に、上述した切替を行うこととしてもよい。
【００５２】
また、主制御部１７は、両替取引の運用開始時に、入金紙幣の収納先のカセットとして回収カセットＣ４が設定されている場合において、入金紙幣の収納先を切替えるべき状態と判定した場合、金種別カセットに装填された紙幣の金種や残量を参照し、特定の金種別カセットへ入金紙幣の収納先を更新する更新機能を有する。入金紙幣の収納先として切り替わる特定の金種別カセットとしては、金種別カセット内の紙幣が空の状態であれば空となった金種別カセットとなる。なお、主制御部１７は、両替取引の運用開始時において、入金紙幣の収納先として、金種別カセットＣ１等と回収カセットＣ４との切り替えや設定が可能であるものとする。
【００５３】
回収カセット内の紙幣が満杯の状態であれば、出金用として同一金種を２カセット使用している場合には、残量の少ない金種別カセットとなる。例えば、図５に示した例では、千円紙幣の残量が少ない金種別カセットＣ２が、入金紙幣の収納先として切り替わる特定の金種別カセットとなる。なお、各金種１カセットずつ使用している場合は残量が一番少ない金種のカセットとなる。
【００５４】
さらに、同一金種で２つのカセット使用している金種別カセットの残量が１カセットに集約できる状態になった場合に、主制御部１７は、入金紙幣収納先切替えを効率よく行うために、２つのカセットに収納されているその紙幣を別のカセット、あるいは一時保留部２７、紙幣入出金口３などの他の収納部へと移動させるか判定する貨幣移動判定手段としての機能も有している。
【００５５】
そして、主制御部１７が特定カセットの紙幣を移動させる必要があると判定した場合に、その移動が必要と判定された特定のカセットから収納されている紙幣を、その紙幣移動先となる別のカセットに移動させる指令信号を、主制御部１７から紙幣処理装置１１の制御部２１に対して送信する。
【００５６】
図８は、主制御部１７が、上述した指令信号を送信して紙幣を移動させる場合の様子を示す図である。図８に示すように、例えば、同一金種で２カセット装填されている金種別カセット(図８に示した例ではＣ１、Ｃ２)の紙幣(図８の例では千円)が１カセットに集約できる残量になった場合に、主制御部１７は集約できる残量かを紙幣運用データから判定する。そして、主制御部１７が、集約できる残量となったと判定した場合は、千円紙幣の残量の少ないカセット（図８の例ではＣ２）から残量の多いカセット（図８の例ではＣ１）へ紙幣を移動する。
【００５７】
さらに、主制御部１７は、図示しない検知センサ及び紙幣運用データから紙幣の移し替えが終了したことを検知し、紙幣の移し替えが終了した時点で、紙幣の移動を終了させて新たな運用に切り替える移動終了機能を有している。紙幣の移動が完了し、特定の金種別カセットが空になったら、上記更新機能により入金紙幣の収納先を更新する。
以上により、入金紙幣の収納先カセットを更新して、次の取引を継続させる。
【００５８】
主制御部１７のＲＯＭ１７ｂには、取引毎に変化する紙幣運用データに基づいて自動両替装置１の運用を制御する制御プログラムを格納している。ＲＯＭ１７ｂは、カセット内の紙幣状態を図示しない検知センサ等によって検知する検知動作を実行させるステップと、検知したカセット内の紙幣状態により入金紙幣の収納先を更新するステップと、検知したカセット内の状態により同一金種で２カセット使用している紙幣を１カセットへ集約するか判定するステップと、集約する必要があると判定した場合に、少なくとも特定のカセットに収納されている紙幣を、その紙幣移動先となる別の金種別カセットに移動させるステップとを実行させるための制御プログラムを有している。
【００５９】
以下では、入金紙幣の収納先として、図８に示した回収カセットＣ４を設定し、金種別カセットＣ１〜Ｃ３に対して、係員等が、図８に示した状態において、図７に示したような設定を行い、入金紙幣の収納先を更新する処理の例について説明している。
【００６０】
続いて、紙幣処理装置１１で行われる処理の動作について説明する。図９は、紙幣処理装置１１で行われる処理の処理手順を示すフローチャートである。
【００６１】
図９に示すように、自動両替装置１の取扱が開始されると、利用客の取引待ちとなる（ステップＳ１）。利用客が両替取引を行うと（ステップＳ２）、主制御部１７は、あらかじめ記憶されているカセット（運用開始時は回収カセットＣ４）へ入金紙幣を収納し、両替取引を終了する（ステップＳ３）。
【００６２】
両替取引が終了すると、主制御部１７は記憶されている入金紙幣の収納先カセットが回収カセットＣ４か否かを判定する（ステップＳ４）。回収カセットＣ４以外のカセットが記憶されていた場合、即ち入金紙幣の収納先が金種別カセットに切り替わっていた場合（ステップＳ４；Ｎｏ）、処理を終了し、待機状態に戻って運用を継続する。
【００６３】
一方、主制御部１７が、収納先カセットとして回収カセットＣ４が記憶されていた場合、即ち入金紙幣の収納先が稼動開始から切り替わっていない場合（ステップＳ４；Ｙｅｓ）、検知センサや紙幣運用データから各カセット内の残量を基にステップＳ５以降の処理を行う。
【００６４】
まず、主制御部１７は、金種別カセットＣ１、Ｃ２を使用している千円紙幣の残量から、１つのカセットに集約可能かを判定し（ステップＳ５）、１つのカセットに集約可能である場合（ステップＳ５；Ｙｅｓ）、残量の少ないカセットＣ１の紙幣を残量の多いカセットＣ２へ移動する（ステップＳ８）。紙幣の移動を終えると残量の少なかったカセットＣ１が空になるため、主制御部１７は、入金紙幣の収納先としてカセットＣ１を記憶し（ステップＳ９）、処理を終了し、待機状態に戻って運用を継続する。
【００６５】
ステップＳ５にて集約不可と判定された場合（ステップＳ５；Ｎｏ）、続いて主制御部１７は、五千円紙幣の残量を参照してカセットＣ３が空になっていないかを判定する（ステップＳ６）。カセットＣ３が空になっていた場合（ステップＳ６；Ｙｅｓ）、入金紙幣の収納先としてカセットＣ３を記憶し（ステップＳ１０）、処理を終了し、待機状態に戻って運用を継続する。
【００６６】
一方、主制御部１７は、ステップＳ６にてカセットＣ３が空になっていない場合（ステップＳ６；Ｎｏ）、続いて主制御部１７は、回収カセットＣ１の収納状態を参照して、紙幣が満杯になっていないかを判定する（ステップＳ７）。
【００６７】
そして、主制御部１７は、回収カセットＣ４が満杯であると判定した場合（ステップＳ７；Ｙｅｓ）、取扱う金種数を維持するために、２つのカセットを使用している千円紙幣のどちらかを入金紙幣の収納先として切替える処理を行う。具体的には、金種別カセットＣ１とＣ２の残量を比較し（ステップＳ１１）、千円紙幣の残量の少ないカセットを入金紙幣の収納先として記憶し（ステップＳ１２、Ｓ１３）、処理を終了し、待機状態に戻って運用を継続する。図８に示した金種別カセットＣ１、Ｃ２の状態であれば、金種別カセットＣ１を入金紙幣の収納先として記憶し、処理を終了し、待機状態に戻って運用を継続する。
【００６８】
一方、主制御部１７が、ステップＳ７にて回収カセットＣ４が満杯になっていないと判定した場合（ステップＳ７；Ｎｏ）、入金紙幣の収納先を更新する必要がないため、処理を終了し、待機状態に戻って運用を継続する。
【００６９】
このように、回収カセットＣ４がカセットに含まれ、その回収カセットＣ４が鑑別された貨幣のうちの不良貨幣を回収し、主制御部１７は、回収カセットＣ４を、鑑別された貨幣の収納先として設定し、貨幣を収納させるので、取り扱う貨幣の装填量を維持しつつ、取り扱う金種を増やすことができる。また、取り扱う貨幣の装填量を維持しつつ、取り扱う金種を増やすことができるので、取引能力及び稼働率が向上し、より省スペース化が可能となる。
【００７０】
さらに、各カセット内の残量を検知し、金種別カセット内の残量を空にできるかまたは空になったか、さらには回収カセットＣ４が満杯になったかによって最適な金種別カセットを入金紙幣の収納先として更新することで、元々取扱っていた金種の装填量を減らすことなく取扱う金種を増やすことができるため、紙幣補充の機会は増やさず運用コスト据え置きのまま、より利用客のニーズに対応することが可能であり、取引能力を向上したサービス性の高い自動両替装置１として運用できる。
【００７１】
また、一般に、ＡＴＭ等の自動取引装置では、貨幣を出金する際に、貨幣を識別部に送って金種・真贋識別を行うが、その結果、識別不良と判定された貨幣は回収カセットへリジェクトされる。リジェクトされる原因としては、カセットへの装填不良（紙幣の折れ曲がり等）や貨幣の状態不良（汚損）等が考えられる。
【００７２】
しかし、上述した両替機のように、入金貨幣を出金貨幣としてリサイクルせずに入金貨幣専用カセットへ収納するような装置の場合、出金貨幣は運用する側（例えば、銀行）が装填するため、貨幣の状態は基本的には状態不良なものは装填されず、頻繁にリジェクトされることは稀である。
【００７３】
したがって、上述したように、リジェクトされた貨幣を収納する回収カセットへ入金貨幣を収納し、入金カセットを出金カセットに切り替えることによって、取り扱い金種を増やし、いずれかの出金カセットが空になった時点で入金カセットとすることで、元々取り扱っている金種の装填量を減らすことなく取扱う金種を増やすことが可能となる。
【００７４】
また、出金貨幣として１つの金種で２つのカセット使用し、出金する際に残量の多いカセットから交互に出金するような場合に対しては、残量が１カセットに集約できる枚数になった時点で１カセットに集約し空カセットを準備するので、より効率よく取引を実現できる。
【００７５】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００７６】
１…自動両替装置、１１…紙幣処理装置、１４…係員パネル部、１７…主制御部、２４Ａ…集積繰出し部、２６…識別部、２７…一時保留部、Ｃ１〜Ｃ３…金種別カセット、Ｃ４…回収カセット。
【図１】
2011107763.tif 000003
【図２】
2011107763.tif 000004
【図３】
2011107763.tif 000005
【図４】
2011107763.tif 000006
【図５】
2011107763.tif 000007
【図６】
2011107763.tif 000008
【図７】
2011107763.tif 000009
【図８】
2011107763.tif 000010
【図９】
2011107763.tif 000011